(57)【要約】 【課題】    確定キーへの指の接触状態と方向キーの押下の組み合わせによって様々な命令を端末に出す事ができる携帯端末を提供する。【解決手段】  確定キーへの接触を検出し、確定キーに接触した状態で方向キーを押下した場合に出す命令と、確定キーに接触していない状態で方向キーを押下した場合に出す命令を区別して出す事ができるようにする。【選択図】  図１
2005252910.tif 000002
【特許請求の範囲】
【請求項１】
方向を指示する方向キーと、
方向キーの押下を検出する方向キー押下検出手段と、
方向キーの側に置かれ操作を確定する確定キーと、
前記確定キーに備えられ確定キーへの接触を検出する接触検出手段とを有し、
前記確定キーへの接触を前記接触検出手段が検出時に前記方向キーの押下を前記方向キー押下検出手段が検出したときに端末に命令する操作と、前記確定キーへの接触を前記接触検出手段が非検出時に前記方向キーの押下を前記方向キー押下検出手段が検出したときに端末に命令する操作と、を区別して端末に操作を命令することを特徴とする携帯端末。
【請求項２】
方向を指示する方向キーと、
方向キーの押下を検出する方向キー押下検出手段と、
方向キーの側に置かれ操作を確定する確定キーと、
前記確定キーに備えられ確定キーへの接触を検出する接触検出手段と、
前記確定キーへの接触を前記接触検出手段が検出時に前記方向キーの押下を前記方向キー押下検出手段が検出したときに端末に命令する操作と、前記確定キーへの接触を前記接触検出手段が非検出時に前記方向キーの押下を前記方向キー押下検出手段が検出したときに端末に命令する操作と、を区別して端末に操作を命令する命令制御部とを有することを特徴とする携帯端末。
【請求項３】
前記命令制御部が端末に命令する、前記確定キーへの接触を前記接触検出手段が検出時に前記方向キーの押下を前記方向キー押下検出手段が検出したとき端末に命令する操作と、前記確定キーへの接触を前記接触検出手段が非検出時に前記方向キーの押下を前記方向キー押下検出手段が検出したとき端末に命令する操作と、を端末使用者が設定できることを特徴とする請求項２記載の携帯端末。
【請求項４】
前記確定キーへの接触を前記接触検出手段が検出時に前記方向キーが押下され、そのまま前記方向キーが押下中に前記確定キーへの接触を前記接触検出手段が検出しなくなったとき、前記確定キーへの接触を前記接触検出手段が非検出時に前記方向キーの押下を前記方向キー押下検出手段が検出したときに端末に命令する操作命令とは別の命令を前記命令制御部が端末に命令することを特徴とする請求項２から３のいずれかに記載の携帯端末。
【請求項５】
前記確定キーへの接触を前記接触検出手段が非検出時に前記方向キーが押下され、そのまま前記方向キーが押下中に前記確定キーへの接触を前記接触検出手段が検出したとき、前記確定キーへの接触を前記接触検出手段が検出時に前記方向キーの押下を前記方向キー押下検出手段が検出したときに端末に命令する操作命令とは別の命令を前記命令制御部が端末に命令することを特徴とする請求項２から３のいずれかに記載の携帯端末。
【請求項６】
前記確定キーへの接触を前記接触検出手段が検出時に前記方向キーが押下され、そのまま前記方向キーが押下中に前記確定キーへの接触を前記接触検出手段が検出しなくなったとき、前記確定キーへの接触を前記接触検出手段が非検出時に前記方向キーの押下を前記方向キー押下検出手段が検出したときに端末に命令する操作命令とは別の命令を、端末使用者が設定し前記命令制御部に端末に向けて出させることができることを特徴とする請求項２から５のいずれかに記載の携帯端末。
【請求項７】
前記確定キーへの接触を前記接触検出手段が非検出時に前記方向キーが押下され、そのまま前記方向キーが押下中に前記確定キーへの接触を前記接触検出手段が検出したとき、前記確定キーへの接触を前記接触検出手段が検出時に前記方向キーの押下を前記方向キー押下検出手段が検出したときに端末に命令する操作命令とは別の命令を、端末使用者が設定し前記命令制御部に端末に向けて出させることができることを特徴とする請求項２から５のいずれかに記載の携帯端末。
【請求項８】
前記命令制御部が端末に出している命令を表示する表示部を具備し、前記命令制御部は端末に出している命令を前記表示部に表示することを特徴とする請求項２から７のいずれかに記載の携帯端末。
【請求項９】
前記方向キーが押下されていないときに、前記命令制御部は前記確定キーへの接触を検出する前記接触検出手段の出力を受け取り、その状態で前記方向キーが押下されたときに端末に出す命令を前記表示部に表示することを特徴とする請求項２から８のいずれかに記載の携帯端末。
【請求項１０】
前記確定キーの押下を検出する確定キー押下検出手段を有することを特徴とする請求項１から９のいずれかに記載の携帯端末。
【発明の詳細な説明】
【技術分野】
【０００１】
この発明は、携帯電話機やPHS(Personal Handyphone System)や携帯情報端末(PDA：Personal Digital Assistants)などの携帯端末に係わり、特に確定キーと方向キーによって操作を端末に命令する機能を備えた携帯端末に関する。
【背景技術】
【０００２】
携帯電話機やPDAなどの携帯端末においてカーソルの移動や画面のスクロールには上下左右を指示する方向キーが用いられ、機能やリンクの選択には決定を指示する確定キーが用いられている。また、カーソルの移動や画面のスクロールにおいて、方向キーを短時間押下したときには少しの移動、方向キーを長時間押下したときは大幅な移動を端末に命令する等、通常より操作キーを長い時間押下した場合等に機能を変えることは特許文献１に記載されている。
【０００３】
【特許文献１】特開２００３−２９８７１６号公報
【発明の開示】
【発明が解決しようとする課題】
【０００４】
しかしながら、前記のようにカーソルの移動や画面のスクロールにおいて、方向キーを長時間押下したときに大幅な移動を端末に命令する携帯端末では、大幅な移動を端末に命令するにはキーを長時間と判断されるまで押下しなければならず、端末使用者の望むときにすぐに大幅な移動を命令することができない。
また、今使用しているアプリケーションとは別のアプリケーションを使う為には方向キーと確定キー以外のキー、例えばアプリケーションの終了を命令するキーやサブメニュー画面を開くキーといったキーを押下しなければならず、指を大幅に動かさなければならない。
さらに、各種の設定変更、例えば音量や画面の明るさなどの変更の為にもメニュー画面を開くキーなどのキーを押下しなければならず、指を大幅に動かさなければならない。
本発明の目的は、上記した課題を解決するために、確定キーに接触検出手段を用い、方向キーと確定キーから指を大幅に動かすことなく、様々な操作を端末に命令する事ができる携帯端末を提供することにある。
【課題を解決するための手段】
【０００５】
上記目的を達成する為に発明は、方向を指示する方向キーと、方向キーの押下を検出する方向キー押下検出手段と、方向キーの側に置かれ操作を確定する確定キーと、確定キーの押下を検出する確定キー押下検出手段と、確定キーに備えられ確定キーへの接触を検出する接触検出手段と、確定キーへの接触を接触検出手段が検出時に方向キーの押下を方向キー押下検出手段が検出したときに端末に命令する操作と、確定キーへの接触を接触検出手段が非検出時に方向キーの押下を方向キー押下検出手段が検出したときに端末に命令する操作と、を区別して端末に操作を命令する命令制御部と、命令制御部が端末に出している命令を表示する表示部と、から構成している。
そして、方向キーが押下されていないときに、命令制御部は確定キーへの接触を検出する接触検出手段の出力を受け取り、その状態で方向キーが押下されたときに端末に出す命令を表示部に表示するようにしている。
従って、端末使用者は方向キーと確定キーによって指を大幅に動かすことなく様々な操作を端末に命令する事が可能になる。
【発明の効果】
【０００６】
本発明によれば、使い勝手のよい操作性を有する携帯端末を提供することができる。
【発明を実施するための最良の形態】
【０００７】
以下本発明の実施の形態について図面を用いて説明する。
図１は本発明の実施形態に係わる携帯端末の回路構成を示すブロック図である。
この携帯端末は、方向を入力する方向キー１０と、前記方向キーの押下を検出する方向キー押下検出部２０と、操作の確定を指示する確定キー３０と、前記確定キー３０の押下を検出する確定キー押下検出部４０と、前記確定キー３０への接触を検出する確定キー接触検出部５０と、前記確定キー３０への接触を前記確定キー接触検出部５０が検出時に前記方向キー１０の押下を前記方向キー押下検出部２０が検出したときに端末に命令する操作と、前記確定キー３０への接触を前記確定キー接触検出部５０が非検出時に前記方向キー１０の押下を前記方向キー押下検出部２０が検出したときに端末に命令する操作と、を区別して端末に操作を命令する命令制御部６０と、前記命令制御部６０が端末に出している命令を表示する表示部７０と、から構成される。
【０００８】
具体的な処理は以下の通りである。図２は実施形態の制御手順を示すフローチャートである。
命令制御部６０は確定キー接触検出部５０の出力を受け取り（図２の２ｂ）、その状態で方向キー１０が押下され方向キー押下検出部２０から方向キー１０の押下が通知されたときに出す命令を表示部７０に表示する（図２の２ｃ）。
方向キー１０が押下され方向キー押下検出部２０から方向キー１０の押下が命令制御部６０に通知されたとき（図２の２ｄ）、表示部７０に表示していた命令を端末に出す（図２の２ｅ）。表示部７０は命令制御部６０が端末に出している命令を表示する（図２の２ｆ）。
方向キー１０が押下されているときに確定キー接触検出部５０の出力が変わったときには（図２の２ｇ）、命令制御部６０はその状態に指定された命令を端末に出し、その命令を表示部７０に表示する（図２の２ｉ）。
【０００９】
図５は本発明の実施形態に係わる方向キーと確定キーの実装例と操作例を示す図である。
図５の（ａ）のように方向キーと確定キーを実装した場合の操作例を示す。確定キーに触れながら方向キーを押下する場合は、まず確定キーに指を触れ（図５の（ｂ））、そこから所望の方向キーの方へ指をずらすように動かしてその方向キーを押下する（図５の（ｃ））。確定キーに接触しないで方向キーを押下する場合は、直接所望の方向キーを押下する（図５の（ｄ））。
【００１０】
ここで、本実施形態において、携帯端末においてWebページブラウジング中の方向キー及び確定キーの操作と、それに対応した命令を図３の表のように定義した場合の端末の動作例を示す。
図３は本発明の実施形態によるWebページブラウジング中の方向キー及び確定キーの操作と、それに対応した命令を定義した表である。
【００１１】
図４は本発明の実施形態による表示部に表示される画面の例である。
端末使用者が確定キーに触れておらず方向キーも押下していないときは表示部に図４の（ａ）の様に表示され、確定キーに触れているが方向キーを押下していないときは図４の（ｂ）の様に表示される。
端末使用者はWebページ閲覧中にそのページの下方にあり画面内に表示されていない部分を見るために、確定キーに触れながら下キーを押下する。端末は画面を下方向へスクロールさせるが（図４の（ｃ））、端末使用者が見たい部分はずっとページの下方にあるために、すぐには表示できない。そこで、端末使用者は下キーを押下しながら確定キーから指を離す。端末はそれを感知し、画面を下方へ早くスクロールさせる（図４の（ｄ））。
【００１２】
端末使用者がWebページ閲覧中にそのページで再生している音楽の音量を上げたいときには、確定キーに触れないで上キーを押下する。端末はそれを感知し音量を上げる（図４の（ｅ））。とっさに音を消したいときには確定キーに触れないで下キーを押下し、下キーを押下したまま確定キーに触れる。端末はそれを感知し消音する（図４の（ｆ））。
【００１３】
端末使用者が直前に閲覧していたWebページを見たいときには、確定キーに触れながら左キーを押下する。端末はそれを感知し端末使用者が直前に閲覧していたWebページを表示する（図４の（ｇ））。最初に見ていたページを見たいときには確定キーに触れながら左キーを押下し、左キーを押下したまま確定キーから指を離す。端末はそれを感知し端末使用者が最初に見ていたページを表示する（図４の（ｈ））。
端末使用者がWebページ閲覧中にメールを送信する場合には確定キーに触れないで右キーを押下する。端末はそれを感知しメーラを起動する（図４の（ｉ））。
【００１４】
この例ではWebページブラウジング中の方向キー及び確定キーの操作と、それに対応した命令を図３の表のように定義したが、端末使用者が自分でそれらを定義してもよい。
また、図３の表ではWebページブラウジング中の方向キー及び確定キーの操作に対応した命令を例に挙げたが、他のアプリケーション、例えばメーラなどでも同じ命令にしてもよいし、違う命令にしてもよい。この場合も端末使用者がそれらを定義してもよい。
以上により、端末使用者は指をあまり動かすことなく様々な命令を端末に出すことができる。
【図面の簡単な説明】
【００１５】
【図１】本発明の実施形態に係わる携帯端末の回路構成を示すブロック図である。
【図２】本発明の実施形態の制御手順を示すフローチャートである。
【図３】本発明の実施形態によるWebページブラウジング中の方向キー及び確定キーの操作と、それに対応した命令を定義した表である。
【図４（１）】本発明の実施形態による表示部に表示される画面の例である。
【図４（２）】本発明の実施形態による表示部に表示される画面の例である。
【図５】本発明の実施形態に係わる方向キーと確定キーの実装例と操作例を示す図である。
【符号の説明】
【００１６】
１０  方向キー
２０  方向キー押下検出部
３０  確定キー
４０  確定キー押下検出部
５０  確定キー接触検出部
６０  命令制御部
７０  表示部
【図１】
2005252910.tif 000003
【図２】
2005252910.tif 000004
【図３】
2005252910.tif 000005
【図４（１）】
2005252910.tif 000006
【図４（２）】
2005252910.tif 000007
【図５】
2005252910.tif 000008